(57)【要約】【課題】バッテリより上側に配置された容器からバッテリ内にバッテリ液を補給する低コストのバッテリ液補給装置において、バッテリ内の規定の液位を容易に得ることができるようにする。【解決手段】給液口１１を有するバッテリ１２より上側に、バッテリ１２内に給液するバッテリ液１３を貯めた補液タンク１４を配置する。この補液タンク１４の下部から、バッテリ１２の給液口１１に挿入する給液管１７および通気管１８を引出す。通気管１８は、上端の開口部２４を補液タンク１４の上部内に配置するとともに、下端の開口部２５をバッテリ１２内の補液後の予定液位Ｌに配置する。【選択図】        図１
2004227810.tif 000002
【特許請求の範囲】
【請求項１】
給液口を有するバッテリより上側に配置されバッテリ内に補給されるバッテリ液を貯めた容器と、
容器の下部から引出されバッテリの給液口に挿入される給液管と、
容器の上部内に上端が開口されるとともにバッテリの給液口からバッテリ内の補液後の予定液位まで挿入される下端が開口された通気管と
を具備したことを特徴とするバッテリ液補給装置。
【請求項２】
給液管の管内通路を開閉する開閉弁
を具備したことを特徴とする請求項１記載のバッテリ液補給装置。
【請求項３】
通気管は、少なくともバッテリ内に挿入される給液管の下部内に挿入されて一体化された
ことを特徴とする請求項１または２記載のバッテリ液補給装置。
【請求項４】
給液管の外周面に一体的に設けられバッテリの給液口と係合して通気管の下端の開口レベルを設定する液位調整ストッパ
を具備したことを特徴とする請求項３記載のバッテリ液補給装置。
【発明の詳細な説明】
【０００１】
【発明の属する技術分野】
本発明は、バッテリ内にバッテリ液を補給するバッテリ液補給装置に関する。
【０００２】
【従来の技術】
自動車、建設機械、電気駆動産業車両などのバッテリに電解液または精製液などのバッテリ液を補給するバッテリ液補給装置として、補液タンクのポンプユニットからバッテリの各セルの液口栓に補液チューブを配設しておき、充電器によりバッテリを充電開始する時に、ポンプユニットを起動させて補液タンク内のバッテリ液をバッテリの各セル内に強制的に補給し、そして、各セルの液面管理は、補液圧力を圧力スイッチで監視することにより行い、補液圧力の上昇により圧力スイッチがオフになったならば補液作業を自動停止させるバッテリ液自動補給装置がある（例えば、特許文献１参照）。
【０００３】
【特許文献１】
特開２００１−２１０３１２号公報（第４−６頁、図１）
【０００４】
【発明が解決しようとする課題】
このようなバッテリ液自動補給装置は、複雑な電子制御を必要とし、高コストであることから、普及していない。
【０００５】
一般的には、容器からバッテリ内に直接バッテリ液を補給するが、バッテリの外部にバッテリ液をこぼしたり、補液量を正確に計ることができず、規定の液位となるよう正しく補液するためには、作業時間を要し、特に、多くの車両を管理する必要がある場合は、バッテリの維持管理に要する時間、労力、コストを無視できない。
【０００６】
本発明は、このような点に鑑みなされたもので、バッテリより上側に配置された容器からバッテリ内にバッテリ液を補給する低コストのバッテリ液補給装置において、バッテリ内の規定の液位を容易に得ることができるようにすることを目的とするものである。
【０００７】
【課題を解決するための手段】
請求項１に記載された発明は、給液口を有するバッテリより上側に配置されバッテリ内に補給されるバッテリ液を貯めた容器と、容器の下部から引出されバッテリの給液口に挿入される給液管と、容器の上部内に上端が開口されるとともにバッテリの給液口からバッテリ内の補液後の予定液位まで挿入される下端が開口された通気管とを具備したバッテリ液補給装置であり、バッテリより上側に配置された容器から給液管を通じてバッテリ内にバッテリ液を補給する低コストのバッテリ液補給装置において、バッテリの給液口からバッテリ内に挿入された通気管の下端の開口レベルにより、バッテリ内の規定の液位を容易に得ることができる。
【０００８】
請求項２に記載された発明は、請求項１記載のバッテリ液補給装置において、給液管の管内通路を開閉する開閉弁を具備したものであり、給液管をバッテリの給液口に挿入したり抜出したりする際に、開閉弁により給液管の管内通路を閉じることで、容器からバッテリの外部にバッテリ液をこぼすことを防止できる。
【０００９】
請求項３に記載された発明は、請求項１または２記載のバッテリ液補給装置における通気管が、少なくともバッテリ内に挿入される給液管の下部内に挿入されて一体化されたものであり、給液管とともに、少なくとも給液管の下部内に挿入されて一体化された通気管を、バッテリ内に容易に挿入でき、バッテリ液補給作業を容易にできる。
【００１０】
請求項４に記載された発明は、請求項３記載のバッテリ液補給装置において、給液管の外周面に一体的に設けられバッテリの給液口と係合して通気管の下端の開口レベルを設定する液位調整ストッパを具備したものであり、液位調整ストッパがバッテリの給液口と係合するまで、給液管をバッテリの給液口に挿入するだけで、給液管の下部内に一体化された通気管の下端の開口レベルをバッテリ内の補液後の予定液位に簡単に設定でき、各バッテリ内の規定の液位を正しくかつ容易に得られる。
【００１１】
【発明の実施の形態】
以下、本発明を図１および図２に示された一実施の形態を参照しながら説明する。
【００１２】
図１に示されるように、給液口１１を有するバッテリ１２より上側に、バッテリ１２内に補給される電解液または精製液などのバッテリ液１３を貯めた容器としての補液タンク１４が配置されている。バッテリ１２内には、極板１５およびバッテリ液１３が収容されている。
【００１３】
バッテリ１２の給液口１１は、補液時以外は液口キャップ１６により閉じられている。補液タンク１４は、図示しないホルダなどにより支持しても良いが、作業者が手で持って図示される位置に保持することで、バッテリ１２上の定位置に配置するようにしても良い。
【００１４】
この補液タンク１４の下部から、バッテリ１２の給液口１１に挿入される給液管１７および通気管１８が引出されている。
【００１５】
給液管１７は、上端に開口された開口部２１が、補液タンク１４の下部内に配置されているとともに、下端に開口された開口部２２が、バッテリ１２の給液口１１からバッテリ１２内の補液後の予定液位Ｌまで挿入されるものである。バッテリ１２内に挿入される給液管１７の下側部分には、直線部分２３が形成されている。
【００１６】
通気管１８は、その下部が、少なくともバッテリ１２内に挿入される給液管１７の直線部分２３内に挿入されて一体化され、中間部が、給液管１７の外部に引出され、上部が補液タンク１４の肩部１４ａから補液タンク１４内に挿入されたものである。
【００１７】
この通気管１８の上端に開口された開口部２４は、補液タンク１４の上部内まで挿入されているとともに、下端に開口された開口部２５は、給液管１７と一体的に、バッテリ１２の給液口１１からバッテリ１２内の補液後の予定液位Ｌまで挿入されるものである。
【００１８】
すなわち、給液管１７の下端の開口部２２がセットされる開口レベルと、通気管１８の下端の開口部２５がセットされる開口レベルは、共に補液後の予定液位Ｌに等しく設定されている。
【００１９】
さらに、給液管１７の中間部であって、通気管１８が挿通されていない部分には、給液管１７の管内通路を開閉する開閉弁２６が設けられている。この開閉弁２６は、弁本体２７と、この弁本体２７内で開閉動作する可動弁体２８と、この可動弁体２８を回動操作するレバー形の操作部２９とを備えている。
【００２０】
また、給液管１７の外周面であって、通気管１８が挿通されている下部の直線部分２３には、バッテリ１２の給液口１１の上縁と係合して通気管１８の下端の開口部２５を補液後の予定液位Ｌに設定する液位調整ストッパ３１が一体的に設けられている。
【００２１】
この液位調整ストッパ３１は、硬質部材で形成されている場合は、ねじなどにより給液管１７の外周面に固定され、ねじを弛めることにより上下方向に位置調整可能であり、また、ゴムなどの軟質部材で形成されている場合は、その軟質部材の弾力性により給液管１７の外周面に固定され、外部からの強制的な力により上下方向に位置調整可能である。
【００２２】
次に、この実施の形態の作用効果を説明する。
【００２３】
バッテリ１２の給液口１１に設けられた液口キャップ１６を外して、通気管１８を内蔵した給液管１７を給液口１１に挿入する。
【００２４】
その際、給液管１７の直線部分２３に嵌着された液位調整ストッパ３１が給液口１１の上縁に係合されると、給液管１７および通気管１８の下端の開口部２２，２５は、バッテリ１２内の補液後の予定液位Ｌにセットされる。
【００２５】
このとき、バッテリ１２内の上部空間３２は、バッテリ本体と液位調整ストッパ３１との間の間隙や、バッテリ本体の上部に穿設された図示しない通気孔を通して、常に外部と連通され、大気圧に保たれている。
【００２６】
給液管１７および通気管１８の下端の開口部２２，２５を補液後の予定液位Ｌにセットした後に、開閉弁２６の操作部２９を回動操作することで、可動弁体２８を開いてバッテリ液１３の補給を開始する。
【００２７】
このバッテリ液補給開始時は、バッテリ１２内の液面３４と、通気管１８の先端の開口部２５との間には隙間があり、通気管１８を通じて補液タンク１４内の上部空間３３に空気を吸込むことが可能である。
【００２８】
よって、補液タンク１４内の上部空間３３は大気圧に保たれる。この大気圧とバッテリ液１３自身の質量とにより、給液管１７内のバッテリ液１３は、バッテリ１２内の液面３４に滴下する。
【００２９】
一方、バッテリ１２内の液面３４が上昇して、通気管１８の下端の開口部２５に達すると、この開口部２５から補液タンク１４内の上部空間３３に空気が吸込まれなくなり、補液タンク１４内の上部空間３３の気圧は、タンク内液面３５が下降しようとすると大気圧よりも低下する。
【００３０】
すなわち、このタンク内液面３５に作用する気圧が低下するため、給液管１７内のバッテリ液に作用するバッテリ液の自重を含めた下向きの力と、給液管１７の下端の開口部２２を通じて給液管１７内のバッテリ液に作用する大気圧に基づく上向きの力とがつり合い、給液管１７内のバッテリ液の移動すなわちバッテリ液の滴下は自動的に停止する。
【００３１】
このようにして、給液管１７からのバッテリ液１３の滴下による自動給液が停止したら、開閉弁２６の操作部２９により可動弁体２８を閉じ操作して、通気管１８が一体化された給液管１７の下部をバッテリ１２の給液口１１から引抜く。
【００３２】
このように、バッテリ１２より上側に配置された補液タンク１４から給液管１７を通じてバッテリ１２内にバッテリ液１３を補給する低コストのバッテリ液補給装置において、バッテリ１２の給液口１１からバッテリ１２の上部空間３２内に給液管１７とともに挿入された通気管１８の下端の開口部２５の設置レベルにより、バッテリ１２内の規定の液位を容易に得ることができる。
【００３３】
また、給液管１７をバッテリ１２の給液口１１に挿入したり抜出したりする際に、開閉弁２６により給液管１７の管内通路を閉じることで、補液タンク１４からバッテリ１２の外部にバッテリ液１３をこぼすことを防止できる。
【００３４】
さらに、給液管１７と一体的に、少なくとも給液管１７の下部内に挿入されて一体化された通気管１８を、バッテリ１２内の上部空間３２に容易に挿入でき、バッテリ液補給作業を容易にできる。
【００３５】
その際、給液管１７に対する液位調整ストッパ３１の位置を正確に決めておけば、この液位調整ストッパ３１がバッテリ１２の給液口１１の上縁と係合するまで、給液管１７を給液口１１に挿入するだけで、給液管１７の下部内に一体化された通気管１８の下端の開口部２５のレベルを、バッテリ１２内の補液後の予定液位Ｌに簡単に設定でき、各バッテリ１２内の規定の液位を正しくかつ容易に得られる。
【００３６】
【発明の効果】
請求項１記載の発明によれば、バッテリより上側に配置された容器から給液管を通じてバッテリ内にバッテリ液を補給する低コストのバッテリ液補給装置において、バッテリの給液口からバッテリ内に挿入された通気管の下端の開口レベルにより、バッテリ内の規定の液位を容易に得ることができる。
【００３７】
請求項２記載の発明によれば、給液管をバッテリの給液口に挿入したり抜出したりする際に、開閉弁により給液管の管内通路を閉じることで、容器からバッテリの外部にバッテリ液をこぼすことを防止できる。
【００３８】
請求項３記載の発明によれば、給液管とともに、少なくとも給液管の下部内に挿入されて一体化された通気管を、バッテリ内に容易に挿入でき、バッテリ液補給作業を容易にできる。
【００３９】
請求項４記載の発明によれば、液位調整ストッパがバッテリの給液口と係合するまで、給液管をバッテリの給液口に挿入するだけで、給液管の下部内に一体化された通気管の下端の開口レベルをバッテリ内の補液後の予定液位に簡単に設定でき、各バッテリ内の規定の液位を正しくかつ容易に得られる。
【図面の簡単な説明】
【図１】本発明に係るバッテリ液補給装置の一実施の形態を示す断面図である。
【図２】同上補給装置の要部を拡大した断面図である。
【符号の説明】
１１    給液口
１２    バッテリ
１３    バッテリ液
１４    容器としての補液タンク
１７    給液管
１８    通気管
２６    開閉弁
３１    液位調整ストッパ
Ｌ    補液後の予定液位
【図１】
2004227810.tif 000003
【図２】
2004227810.tif 000004